(57)【要約】【課題】  外部のスピーカが電子機器から切断されても、電子機器が内部のスピーカから音を出力しないようにする。【解決手段】  電子機器は音声信号を音波に変換する内部スピーカと、外部機器を接続する接続部と、制御部と、を有する。制御部は、外部スピーカが接続部を介して接続されている状態において、内部スピーカへ音声信号を出力しないよう制御し、かつ接続している外部スピーカへ音声信号を接続部を介して出力するよう制御する。制御部は、接続している外部スピーカとの接続が切断されたことを検出した場合、内部スピーカへ音声信号を出力しないための制御を継続する。【選択図】  図４
2020136865.tif 000002
【特許請求の範囲】
【請求項１】
音声信号を音波に変換する内部スピーカと、
外部機器を接続する接続手段と、
制御手段と、を有し、
前記制御手段は、外部スピーカが前記接続手段を介して接続されている状態において、前記内部スピーカへ音声信号を出力しないよう制御し、かつ接続している前記外部スピーカへ音声信号を前記接続手段を介して出力するよう制御し、
前記制御手段は、接続している前記外部スピーカとの接続が切断されたことを検出した場合、前記内部スピーカへ音声信号を出力しないための制御を継続する
ことを特徴とする電子機器。
【請求項２】
音声信号を音波に変換する内部スピーカと、
外部機器を接続する接続手段と、
制御手段と、を有し、
前記制御手段は、前記内部スピーカへ音声信号を出力するよう制御している状態において、外部スピーカが前記接続手段を介して新たに接続されたことを検出した場合、前記内部スピーカへ音声信号を出力しないよう制御し、かつ接続している前記外部スピーカへ音声信号を前記接続手段を介して出力するよう制御し、
前記内部スピーカへ音声信号を出力しないよう制御している状態において、前記制御手段は接続している前記外部スピーカとの接続が切断されたことを検出した場合は、前記内部スピーカへ音声信号を出力しないための制御を継続する
ことを特徴とする電子機器。
【請求項３】
さらにユーザ操作を受け付ける操作手段を有し、
前記制御手段は、前記内部スピーカへ音声信号を出力するよう制御している状態において、前記操作手段を介して前記内部スピーカへ音声信号を出力しないためのユーザ操作を受け付けた場合、前記内部スピーカへ音声信号を出力しないよう制御し、
前記内部スピーカへ音声信号を出力しないよう制御している状態において、前記制御手段は前記操作手段を介して前記内部スピーカへ音声信号を出力するためのユーザ操作を受け付けた場合は、前記内部スピーカへ音声信号を出力するよう制御する
ことを特徴とする請求項１または２に記載の電子機器。
【請求項４】
前記接続手段を介して外部スピーカと接続を確立している場合、前記制御手段は前記内部スピーカへ音声信号を出力するためのユーザ操作を受け付けないよう前記操作手段を制御する
ことを特徴とする請求項３に記載の電子機器。
【請求項５】
前記制御手段は、前記内部スピーカへ音声信号を出力しないよう制御している状態において、接続している外部スピーカを切断するための操作を前記操作手段を介して受け付けた場合、接続している前記外部スピーカとの接続を切断し、前記内部スピーカへ音声信号を出力するよう制御する
ことを特徴とする請求項３または４に記載の電子機器。
【請求項６】
前記外部スピーカは前記接続手段を介して無線接続することを特徴とする請求項５に記載の電子機器。
【請求項７】
前記制御手段は、前記接続手段を介して外部機器と無線接続を開始した場合、前記内部スピーカへ音声信号を出力しないよう制御し、
前記外部機器と無線接続を確立した場合、前記制御手段は前記内部スピーカへ音声信号を出力しないための制御を継続し、
前記外部機器と無線接続を確立できない場合、前記制御手段は前記内部スピーカへ音声信号を出力するよう制御する
ことを特徴とする請求項１から６のいずれか１項に記載の電子機器。
【請求項８】
さらに撮像手段を有し、
前記制御手段は、前記内部スピーカへ音声信号を出力しないよう制御する場合、メカニカルシャッターを用いずに撮像するよう前記撮像手段を制御する
ことを特徴とする請求項１から７のいずれか１項に記載の電子機器。
【請求項９】
前記外部スピーカと無線接続を確立している状態において、前記撮像手段によって撮像した場合、前記制御手段は、前記内部スピーカへ音声信号を出力せず、前記外部スピーカへ音声信号を出力するよう制御する
ことを特徴とする請求項８に記載の電子機器。
【請求項１０】
前記制御手段は、前記撮像手段によって撮像した場合、前記内部スピーカおよび前記外部スピーカのどちらか一方へ電子シャッター音を出力することを特徴とする請求項８または９に記載の電子機器。
【請求項１１】
前記制御手段は、前記内部スピーカへ音声信号を出力しないよう制御する場合、前記撮像手段による撮像において発光処理を実行しないことを特徴とする請求項８から１０のいずれか１項に記載の電子機器。
【請求項１２】
前記外部スピーカはヘッドホンまたはイヤホンであることを特徴とする請求項１から１１のいずれか１項に記載の電子機器。
【請求項１３】
音声信号を音波に変換する内部スピーカと、
外部機器を接続する接続手段と、を有する電子機器の制御方法であって、
外部スピーカが前記接続手段を介して接続されている状態において、前記内部スピーカへ音声信号を出力しないよう制御し、かつ接続している前記外部スピーカへ音声信号を前記接続手段を介して出力するよう制御するステップと、
接続している前記外部スピーカとの接続が切断されたことを検出した場合、前記内部スピーカへ音声信号を出力しないための制御を継続するステップと、
を有することを特徴とする制御方法。
【請求項１４】
コンピュータを請求項１から１２のいずれか１項に記載の電子機器の各手段として機能させるための、コンピュータが読み取り可能なプログラム。
【発明の詳細な説明】
【技術分野】
【０００１】
本発明は音声出力手段を有する電子機器に関する。
【背景技術】
【０００２】
スマートフォン等の電子機器は内部のスピーカおよび外部のスピーカから音を出力できる。例えば、スマートフォンは外部のスピーカであるヘッドホンが接続されたことを検出すると自動的にヘッドホンに音を出力し、内部のスピーカから音を出力しないように制御することができる。また、スマートフォンはヘッドホンが切断されたことを検出すると自動的に内部のスピーカから音を出力するように制御することができる。
【０００３】
特許文献１では、イヤホンの挿入の有無に応じてイヤホンとスピーカとへの音声出力を切り替える携帯用電子機器が開示されている。
【先行技術文献】
【特許文献】
【０００４】
【特許文献１】特開２００３−５８９７７号公報
【発明の概要】
【発明が解決しようとする課題】
【０００５】
しかし、ユーザの動作等によって意図せずスマートフォンとヘッドホンとの接続が切断してしまい、スマートフォンの内部スピーカから音を出力されてしまうことがある。例えば、スポーツの競技中において、観戦中のサポータのヘッドホンがスマートフォンから意図せず切断された場合、サポータのスマートフォンから音が不意に出力され、競技の妨げになるおそれがあった。
【０００６】
そこで本発明は、外部のスピーカが電子機器から切断されても、電子機器が内部のスピーカから音を出力しないようにすることを目的とする。
【課題を解決するための手段】
【０００７】
上記課題を解決するために、本発明の電子機器は、音声信号を音波に変換する内部スピーカと、外部機器を接続する接続手段と、制御手段と、を有し、前記制御手段は、外部スピーカが前記接続手段を介して接続されている状態において、前記内部スピーカへ音声信号を出力しないよう制御し、かつ接続している前記外部スピーカへ音声信号を前記接続手段を介して出力するよう制御し、前記制御手段は、接続している前記外部スピーカとの接続が切断されたことを検出した場合、前記内部スピーカへ音声信号を出力しないための制御を継続することを特徴とする。
【発明の効果】
【０００８】
本発明によれば、外部のスピーカが電子機器から切断されても、電子機器が内部のスピーカから音を出力しないようにすることができる。
【図面の簡単な説明】
【０００９】
【図１】第一の実施形態におけるデジタルカメラの構成の一例を示すブロック図である。
【図２】（Ａ）第一の実施形態におけるデジタルカメラの撮像モードおよびサイレントモードを設定するための画面表示の一例である。（Ｂ）第一の実施形態におけるデジタルカメラの撮像モードを設定するための画面表示の一例である。（Ｃ）第一の実施形態におけるデジタルカメラのサイレントモードを設定するための画面表示の一例である。
【図３】（Ａ）第一の実施形態における、ヘッドホンを接続されていないデジタルカメラの設定画面の一例である。（Ｂ）ヘッドホンを接続されているデジタルカメラの設定画面の一例である。
【図４】第一の実施形態におけるデジタルカメラの動作の一例を示すフローチャートである。
【図５】第二の実施形態におけるデジタルカメラの動作の一例を示すフローチャートである。
【図６】第三の実施形態におけるデジタルカメラの動作の一例を示すフローチャートである。
【図７】第四の実施形態におけるデジタルカメラの動作の一例を示すフローチャートである。
【図８】デジタルカメラを自動的にサイレントモードで動作させたことを報知する方法の一例である。
【発明を実施するための形態】
【００１０】
以下、図面を参照しながら本発明の好適な実施の形態を説明する。
【００１１】
＜第一の実施形態＞
［デジタルカメラ１００の構成］
図１は本実施形態の電子機器の一例であるデジタルカメラ１００の構成例を示すブロック図である。なお、ここでは電子機器の一例としてデジタルカメラについて述べるが、電子機器はこれに限られない。例えば電子機器はスマートフォンや、タブレット端末等の内部のスピーカおよび外部のスピーカと接続できる装置であればよい。
【００１２】
制御部１０１は、入力された信号や、後述のプログラムに従ってデジタルカメラ１００の各部を制御する。制御部１０１は後述する不揮発性メモリ１０３および記録媒体１１０に記録されている音声データを音声信号に変換し、スピーカ１０８、通信部１１１および接続部１１２を介して音声信号を出力することができる。なお、制御部１０１が装置全体を制御する代わりに、複数のハードウェアが処理を分担することで、装置全体を制御してもよい。
【００１３】
撮像部１０２は、例えば、光学レンズユニットと絞り・ズーム・フォーカスなど制御する光学系と、光学レンズユニットを経て導入された光（映像）を電気的な映像信号に変換するための撮像素子などで構成される。撮像素子は、一般的に、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）や、ＣＣＤ（Ｃｈａｒｇｅ  Ｃｏｕｐｌｅｄ  Ｄｅｖｉｃｅ）が用いられる。撮像部１０２は、制御部１０１に制御されることにより、撮像部１０２に含まれるレンズで結像された被写体光を、撮像素子により電気信号に変換し、ノイズ低減処理などを行いデジタルデータを画像データとして出力する。また、撮像部１０２は制御部１０１の制御により撮像素子の露光時間を自由に制御できる遮光幕を有する。この遮光幕は例えばフォーカルプレーンシャッターやレンズシャッター等である。本実施形態では、当該画像データを撮像し出力するための一連の処理を「撮影」という。本実施形態のデジタルカメラ１００では、画像データは、ＤＣＦ（Ｄｅｓｉｇｎ  Ｒｕｌｅ  ｆｏｒ  Ｃａｍｅｒａ  Ｆｉｌｅ  ｓｙｓｔｅｍ）の規格に従って、後述する記録媒体１１０に記録される。
【００１４】
不揮発性メモリ１０３は、電気的に消去・記録可能な不揮発性のメモリであり、制御部１０１で実行される後述のプログラム等が格納される。また、不揮発性メモリ１０３には、音声データが記録されている。例えば、音声データは被写体に合焦した場合に出力する合焦音、撮像した場合に出力する電子シャッター音、およびデジタルカメラ１００を操作した場合に出力する操作音等の電子音のデータである。本実施形態において電子シャッター音は撮像部１０２の遮光幕が開閉する音に似せた擬音である。ただし、この電子シャッター音は、ユーザが撮像したことを認識することができればよいため、遮光幕の実際の開閉音とは音色や長さ等が大きく異なっていてもよい。この音声データはＰＣＭ形式、ＭＰ３形式等で記録されている。
【００１５】
作業用メモリ１０４は、撮像部１０２で撮像された画像データを一時的に保持するバッファメモリや、表示部１０６の画像表示用メモリ、制御部１０１の作業領域等として使用される。
【００１６】
操作部１０５は、デジタルカメラ１００に対する指示をユーザから受け付けるためのユーザインタフェースである。操作部１０５は、例えばユーザがデジタルカメラ１００の電源のオン／オフを指示するための電源ボタンや、撮影を指示するためのレリーズスイッチ、画像データの再生を指示するための再生ボタン等を含むことができる。また、表示部１０６に形成されるタッチパネルも操作部１０５に含めることができる。なお、レリーズスイッチは、ＳＷ１およびＳＷ２を有する。レリーズスイッチが、いわゆる半押し状態となることにより、ＳＷ１がオンとなる。これにより、ＡＦ（オートフォーカス）処理、ＡＥ（自動露出）処理、ＡＷＢ（オートホワイトバランス）処理、ＥＦ（フラッシュプリ発光）処理等の撮像の準備動作を行うための準備指示を受け付ける。また、レリーズスイッチが、いわゆる全押し状態となることにより、ＳＷ２がオンとなる。このようなユーザ操作により、撮像動作を行うための撮像指示を受け付ける。さらに操作部１０５はモード切替スイッチを有し、制御部１０１の動作モードを静止画撮影モード、動画撮影モード、再生モード等のいずれかに切り替える。静止画撮影モードに含まれるモードとして、オート撮影モード、オートシーン判別モード、マニュアルモード、絞り優先モード（Ａｖモード）、シャッター速度優先モード（Ｔｖモード）、プログラムＡＥモードがある。また、撮影シーン別の撮影設定となる各種シーンモード、カスタムモード等がある。モード切替スイッチより、ユーザは、これらのモードのいずれかに直接切り替えることができる。あるいは、モード切替スイッチで撮影モードの一覧画面に一旦切り換えた後に、表示された複数のモードのいずれかを選択し、他の操作部材を用いて切り替えるようにしてもよい。また、操作部１０５は後述するスピーカ１０８、通信部１１１、および接続部１１２から出力される音の音量等を調整するためのボタンを含む。このボタンを介してユーザ操作を受け付けることで、制御部１０１は音声信号の振幅等を調整する処理や、音声信号を出力するか否かを判断する処理を実行する。
【００１７】
表示部１０６は、撮影の際のビューファインダー画像の表示、撮影した画像データの表示、対話的な操作のための文字表示などを行う。表示部１０６は必ずしもデジタルカメラ１００に内蔵されていなくてもよく、デジタルカメラ１００に外部接続される構成であってもよい。デジタルカメラ１００は内部または外部の表示部１０６と接続することができ、表示部１０６の表示を制御する表示制御機能を少なくとも有していればよい。
【００１８】
記録媒体１１０は、デジタルカメラ１００に着脱可能なよう構成してもよいし、デジタルカメラ１００に内蔵されていてもよい。デジタルカメラ１００は少なくとも記録媒体１１０にアクセスする手段を有していればよい。
【００１９】
マイク１０７は、音や音声等の音波をデジタルカメラ１００に入力するために用いられる。マイク１０７は音や音声を電気信号に変換してデジタルカメラ１００に入力する。制御部１０１は入力された電気信号から音声データを生成する。制御部１０１はこの音声データと撮像部１０２が撮影した動画データとを同期させて記録する。本実施形態において、ライブ配信に送信するための音声データは作業用メモリ１０４に記録される。なお、マイク１０７はデジタルカメラ１００に着脱可能なよう構成してもよいし、デジタルカメラ１００に内蔵されていてもよい。すなわち、デジタルカメラ１００は少なくともマイク１０７から電気信号を受け取るための手段を有していればよい。
【００２０】
スピーカ１０８は、楽曲や警告音等の電子音を出力することができる電気音響変換器である。本実施形態において、制御部１０１は不揮発性メモリ１０３に記録されている音声データを音声信号に変換し、その音声信号をスピーカ１０８によって警告音等を出力することができる。スピーカ１０８は内部スピーカの一例である。例えばユーザはスピーカ１０８から出力された音を聞くことで、デジタルカメラ１００の警告等に気付くことができる。
【００２１】
電源部１０９は制御部１０１に制御されることでデジタルカメラ１００の各要素に電力を供給することができる。電源部１０９は例えば、リチウムイオン電池やアルカリマンガン乾電池等の電源である。
【００２２】
通信部１１１は、外部機器と無線接続するためのインターフェースである。本実施形態のデジタルカメラ１００は、通信部１１１を介して、外部機器とデータのやりとりを行うことができる。例えば、撮像部１０２で生成した画像データや不揮発性メモリ１０３に記録している音声データを、通信部１１１を介して外部機器に送信することができる。外部機器は、例えばスマートフォンやＰＣ等の情報機器である。なお、本実施形態では、通信部１１１は外部機器とＢｌｕｅｔｏｏｔｈ（登録商標）の規格に従って通信するためのインターフェースを含む。制御部１０１は、通信部１１１を制御することで外部機器との無線通信を実現する。なお、通信方式はＢｌｕｅｔｏｏｔｈに限定されるものではなく、例えばＩＥＥＥ８０２．１１の規格に従ったいわゆる無線ＬＡＮおよび赤外線通信等の無線通信方式を含む。また、制御部１０１は通信部１１１を介して、イヤホンやヘッドホン等の外部のスピーカとも無線接続することができる。
【００２３】
接続部１１２は、外部機器と有線接続するためのインターフェースである。本実施形態のデジタルカメラ１００は、接続部１１２を介して、外部機器とデータのやりとりを行うことができる。例えば、撮像部１０２で生成した画像データや不揮発性メモリ１０３に記録している音声データを、接続部１１２を介して外部機器に送信することができる。接続部１１２は例えばフォンコネクタ（いわゆるヘッドホン端子）およびＵＳＢ端子等である。デジタルカメラ１００は接続部１１２を介してイヤホンやヘッドホン等の外部のスピーカ、およびスマートフォンやＰＣ等の情報機器と有線接続することができる。また、接続部１１２は外部機器が接続されたか否かを検出する検出部（不図示）を有する。制御部１０１はこの検出部を介して、外部機器が接続および切断されたこと、外部機器と接続中であること、および外部機器と接続していないこと等を検出できる。
【００２４】
なお、デジタルカメラ１００がヘッドホン等の外部機器と接続する場合、制御部１０１は外部機器と接続を確立した後に、そのデバイスの種類を検出する。例えば、通信部１１１を介したＢｌｕｅｔｏｏｔｈ通信では、外部機器とペアリングする際に、制御部１０１は外部機器がヘッドホンか否かを検出することができる。またはＢｌｕｅｔｏｏｔｈ通信では、外部機器と無線接続を確立する前に外部機器がヘッドホンか否かを示す情報を受信する。ペアリングとは通信装置同士が互いの識別情報等を、通信すべき相手の識別情報等として登録（所定の領域に記録）することである。そのため、外部機器と無線接続を確立する前に、制御部１０１はその外部機器がヘッドホンか否かを判断できる。一方、通信部１１１を介した無線ＬＡＮ通信では、制御部１０１は外部機器と無線接続を確立した後に、外部機器がヘッドホンか否かを外部機器と通信することで検出する。
【００２５】
また例えば接続部１１２がＵＳＢ端子の場合、制御部１０１は有線接続を確立した外部機器からデバイスディスクリプタを受信する。このデバイスディスクリプタを参照することで、制御部１０１は外部機器がヘッドホンか否かを検出できる。ただし、デジタルカメラ１００と無線接続可能な外部機器をヘッドホン等の外部スピーカに限定している場合、制御部１０１は外部機器と無線接続を確立したことによってヘッドホンを検出したか否かを判断できる。また、フォンコネクタ等の外部スピーカ用の端子は、接続相手がスピーカであることが前提の端子である。そのため、この端子に外部機器を有線接続された場合、接続相手から情報を受信することなく、制御部１０１は外部機器と有線接続を確立したことによってヘッドホンを検出したか否かを判断できる。
【００２６】
以上、デジタルカメラ１００について説明した。
【００２７】
［撮像モードの説明］
ここで、デジタルカメラ１００の撮像モードを説明する。デジタルカメラ１００は電子シャッターモードおよびメカニカルシャッターモードの２つの撮像モードを持つ。
【００２８】
メカニカルシャッターモードでは、制御部１０１は撮像部１０２に含まれる遮光幕を開閉するよう制御することで撮像素子を露光し撮像する。メカニカルシャッターモードによる撮像では、いわゆるローリング歪みが発生しづらいことや撮像した画像にノイズが少ないこと等の利点がある。
【００２９】
電子シャッターモードでは、制御部１０１は遮光幕を開閉させずに撮像する。電子シャッターモードにおける撮像では、遮光幕は開いている状態である。制御部１０１は計時部（不図示）を参照することで撮像部１０２に含まれる撮像素子の露光時間を制御する。電子シャッターモードによる撮像では、メカニカルシャッターモードよりも速いシャッター速度にできることや撮像する際に振動が発生しにくいこと等の利点がある。
【００３０】
電子シャッターモードによる撮像では、遮光幕が開閉しないため、いわゆるシャッター音は発生しない。そこで制御部１０１は不揮発性メモリ１０３に記録されている電子シャッター音をスピーカ１０８や通信部１１１、接続部１１２を介して出力する。
【００３１】
また、ユーザはデジタルカメラ１００をサイレントモードで動作させることができる。サイレントモードでは、デジタルカメラ１００はスピーカ１０８から電子音を出力しない。電子音は例えば、合焦音、電子シャッター音、および操作音等である。サイレントモードは、スポーツの試合会場や美術館等の静かにすることを求められる場において撮影する場合に好適なモードである。ユーザは操作部１０５を介してデジタルカメラ１００を操作することでサイレントモードのオンおよびオフができる。さらに本実施形態において、サイレントモードではデジタルカメラ１００は電子シャッターモードで動作する。これはメカニカルシャッターモードでは、撮影した際に遮光幕の開閉音が発生するため、音の発生しない撮影ができないからである。一方、電子シャッターモードでは、遮光幕は開閉しないため、音の発生しない撮影が可能である。他にも、サイレントモードでは、デジタルカメラ１００はフラッシュプリ発光やＡＦ補助光等の発光処理を実行しない。これは例えば競技中のスポーツ選手や美術館の絵画等に対して、フラッシュ撮影（ストロボ撮影）を禁止することを求められることがあるからである。
【００３２】
ただし、サイレントモードにおいても、デジタルカメラ１００は通信部１１１および接続部１１２を介してヘッドホン等へ電子音を出力することができる。これは、デジタルカメラ１００がヘッドホン等へ電子音を出力しても、その電子音はデジタルカメラ１００を利用するユーザだけに伝わると考えられるため、ヘッドホンから出力された電子音が周囲の人に聞こえる可能性は低いからである。
【００３３】
［撮像モードの設定方法］
次に、撮像モードを設定する方法の一例を説明する。図２（Ａ）〜（Ｃ）は撮像モードおよびサイレントモードを設定するためのメニュー画面の一例である。図３（Ａ）、（Ｂ）はサイレントモードに遷移した場合におけるメニュー画面の一例である。ユーザから操作部１０５を介してメニュー画面へ遷移するための操作を受け付けたことに応じて制御部１０１は例えば表示部１０６にメニュー画面を表示する。ユーザは操作部１０５を操作することによってそれぞれの設定を変更できる。本実施形態では制御部１０１は図２（Ａ）に示すようにメニュー画面を表示する。項目２００は撮像モードを設定するための項目である。項目２１０はデジタルカメラ１００がサイレントモードで動作するか否かを設定するための項目である。本実施形態において、ある項目が選択された場合、制御部１０１は表示部１０６に他の項目を表示しないよう制御する。これによりユーザは選択された項目のオプションを選択しやすくなる。
【００３４】
ユーザが操作部１０５を介して項目２００を選択した場合、図２（Ｂ）に示すように制御部１０１はメカニカルシャッターモード、および電子シャッターモードの一方を選択するためのメニューを表示する。ユーザがオプション２０１を選択した場合、デジタルカメラ１００はメカニカルシャッターモードによって撮影する設定に変更される。この場合、制御部１０１は電子音の設定に関わらず電子シャッター音をスピーカ１０８に出力しないよう制御する。これは、例えばユーザが撮影する際、撮像部１０２の遮光幕の開閉音および電子シャッター音の両方が聞こえた場合、どちらの音のタイミングで撮影されたかがユーザにとって分からなくなる可能性があるからである。ユーザがオプション２０２を選択した場合、デジタルカメラ１００は電子シャッターモードによって撮像する設定に変更される。この場合、サイレントモードでなければ制御部１０１は電子音をスピーカ１０８に出力するよう制御する。
【００３５】
図２（Ａ）の説明に戻る。ユーザが操作部１０５を介して項目２１０を選択した場合、図２（Ｃ）に示すように制御部１０１はサイレントモードで動作するか否か（オンかオフか）を選択するためのメニューを表示する。ユーザが操作部１０５を用いてオプション２１１（「オン」）を選択した場合、デジタルカメラ１００はサイレントモードで動作する。ユーザが操作部１０５を用いてオプション２１２（「オフ」）を選択した場合、デジタルカメラ１００はサイレントモードを解除する。また、サイレントモードがオンに設定されている状態において、ユーザ操作によってメカニカルシャッターモードに変更された場合も、制御部１０１は自動的にサイレントモードを解除する。ユーザがオプション２１１（「オン」）を選択した場合、制御部１０１は電子シャッターモードで動作し、スピーカ１０８から電子音を出力しないよう制御する。このとき、図３（Ａ）に示すように、制御部１０１は例えば項目２００を網掛けして表示し、電子シャッターモードからメカニカルシャッターモードへ設定を変更できないようにしてもよい。
【００３６】
ここで、例えばヘッドホンが接続された場合、制御部１０１は自動的にサイレントモードで動作するよう設定する。この場合、制御部１０１はシャッターモードおよびサイレントモードの設定を、それぞれ電子シャッターモードおよびオンに変更する。この場合、制御部１０１は接続しているヘッドホンへ電子音を出力し、スピーカ１０８へ電子音を出力しない。ヘッドホンの接続中において、ユーザはヘッドホンから電子音を聞く可能性が高いと判断できるため、制御部１０１はスピーカ１０８から電子音を出力しない。また、図３（Ｂ）に示すように、制御部１０１は例えば項目２００および項目２１０を網掛けして表示してもよい。さらに制御部１０１はユーザがヘッドホンを切断するまで、項目２００および項目２１０の設定を変更できないようにしてもよい。
【００３７】
なお、本実施形態ではサイレントモードを設定する項目を設けたが、電子音を出力するか否かを設定する項目に変更してもよい。この場合、ユーザがデジタルカメラ１００を操作し電子シャッターモードかつ電子音を出力しない設定に変更することで、デジタルカメラ１００を実質的にサイレントモードで動作させることができる。
【００３８】
［サイレントモードの設定処理］
図４を用いて、制御部１０１がデジタルカメラ１００をサイレントモードで動作させるか否かを変更する処理について説明する。以降、本実施形態ではデジタルカメラ１００に接続する外部のスピーカはヘッドホンとして説明する。このデジタルカメラ１００の処理は、不揮発性メモリ１０３に記録されたソフトウェアを作業用メモリ１０４に展開して制御部１０１が実行することで実現する。またこの処理は、デジタルカメラ１００の電源がオンにされたことをトリガに開始される。
【００３９】
ステップＳ４０１において、制御部１０１はヘッドホンが接続しているか否かを判断する。例えば、制御部１０１は接続部１１２または通信部１１１を介して接続している外部機器がヘッドホンか否かを検出する。ヘッドホンが接続している場合、制御部１０１はステップＳ４０２に進む。ヘッドホンが接続していない場合、制御部１０１はステップＳ４０４に進む。まず、ヘッドホンがデジタルカメラ１００に接続されている場合について説明する。
【００４０】
ステップＳ４０２において、制御部１０１はヘッドホンへ電子音を出力するよう制御する。これは制御部１０１が常にヘッドホンへ電子音を出力するという意味ではなく、制御部１０１が操作音や電子シャッター音等の電子音を再生する場合にヘッドホンへ電子音を出力するという意味である。ただし、すでにヘッドホンへ電子音を出力するよう制御している場合、制御部１０１は本ステップの処理を実行しない。
【００４１】
ステップＳ４０３において、制御部１０１はデジタルカメラ１００が自動的にサイレントモードで動作するよう制御する。また、制御部１０１はデジタルカメラ１００をサイレントモードで動作させる前に、シャッターモードの設定を記録してもよい。この記録したシャッターモードは、ステップＳ４０８において制御部１０１がサイレントモードを解除する処理に用いる。なお、すでにサイレントモードの場合、制御部１０１は本ステップの処理を実行しない。制御部１０１はステップＳ４０９に進み、電源オフの操作がなされるまで本フローチャートの処理を繰り返す。本ステップにおいて、制御部１０１はＡＦ補助光やフラッシュ発光等の発光処理も実行しないよう制御する。
【００４２】
このように、ヘッドホンが接続されている場合、制御部１０１はデジタルカメラ１００がサイレントモードで動作し続けるよう制御する。次にステップＳ４０１において、デジタルカメラ１００にヘッドホンが接続されていないと制御部１０１が判断した場合について説明する。
【００４３】
ステップＳ４０４において、制御部１０１はヘッドホンへ電子音を出力しないよう制御する。本ステップにおいて、デジタルカメラ１００とヘッドホンとの接続が切断されているが、制御部１０１はサイレントモードを自動的に解除しない。ただし、すでにヘッドホンへ電子音を出力しないよう制御している場合、制御部１０１は本ステップの処理を実行しない。
【００４４】
ステップＳ４０５において、制御部１０１はデジタルカメラ１００がサイレントモードで動作しているか否かを判断する。デジタルカメラ１００がサイレントモードで動作していない場合ステップＳ４０６に進む。デジタルカメラ１００がサイレントモードで動作している場合、制御部１０１はステップＳ４０７に進む。まずデジタルカメラ１００がサイレントモードで動作していない場合について説明する。
【００４５】
ステップＳ４０６において、制御部１０１はサイレントモードに設定するためのユーザ操作がなされたか否かを判断する。例えば、図３（Ａ）に示すようなメニュー画面を表示している状態において、操作部１０５によってユーザが項目２１０を選択し、サイレントモードをオンにしたか否かを制御部１０１は判断する。サイレントモードに設定するためのユーザ操作がなされた場合、制御部１０１はステップＳ４０３に進み、デジタルカメラ１００をサイレントモードで動作するよう制御する。サイレントモードに設定するためのユーザ操作がなされていない場合、制御部１０１はステップＳ４０９に進み、電源オフの操作がなされるまで本フローチャートの処理を繰り返す。次に、デジタルカメラ１００がサイレントモードで動作している場合について説明する。
【００４６】
ステップＳ４０７において、制御部１０１はサイレントモードを解除するためのユーザ操作がなされたか否かを判断する。例えば、図３（Ａ）に示すようなメニュー画面を表示している状態において、操作部１０５によってユーザが項目２１０を選択し、サイレントモードをオフにしたか否かを制御部１０１は判断する。サイレントモードを解除するためのユーザ操作がなされた場合、制御部１０１はステップＳ４０８に進む。サイレントモードを解除するためのユーザ操作がなされていない場合、制御部１０１はステップＳ４０９に進み、電源オフの操作がなされるまで本フローチャートの処理を繰り返す。
【００４７】
ステップＳ４０８において、制御部１０１はデジタルカメラ１００のサイレントモードを解除するよう制御する。例えば、制御部１０１はサイレントモードを解除し、デジタルカメラ１００が電子シャッターモードで動作するよう制御する。また、例えばステップＳ４０３においてデジタルカメラ１００をサイレントモードで動作させる前のシャッターモードを記録している場合、制御部１０１はそのシャッターモードで動作するようにデジタルカメラ１００を制御してもよい。本ステップの後、制御部１０１はステップＳ４０９に進み、電源オフの操作がなされるまで本フローチャートの処理を繰り返す。
【００４８】
このように、制御部１０１はデジタルカメラ１００とヘッドホンと接続が切断されても自動的にサイレントモードを解除しない。デジタルカメラ１００がヘッドホンと接続していない場合、サイレントモードを解除する方法は、ユーザ操作によってなされる。
【００４９】
ステップＳ４０９において、制御部１０１は電源オフするか否か判断する。例えば、電源ボタンをオフにするユーザ操作がなされた場合、制御部１０１はデジタルカメラ１００の電源をオフすると判断し、処理を終了する。また、例えば所定時間ユーザ操作がなされない場合、制御部１０１はデジタルカメラ１００の電源をオフすると判断し、処理を終了する。電源オフにしないと判断した場合、制御部１０１はステップＳ４０１に戻り本フローチャートの処理を繰り返す。
【００５０】
以上、制御部１０１がデジタルカメラ１００をサイレントモードで動作させるか否かを設定する処理について説明した。このように、制御部１０１はヘッドホンが接続している場合はデジタルカメラ１００をサイレントモードで動作させ、デジタルカメラ１００とヘッドホンとの接続が切断しても制御部１０１はデジタルカメラ１００をサイレントモードで動作させ続ける。これにより、不意にデジタルカメラ１００からヘッドホンが外れてもデジタルカメラ１００はサイレントモードで動作し続けるため、デジタルカメラ１００のスピーカ１０８から電子音が出力されず、周囲の騒音にならない。
【００５１】
なお、デジタルカメラ１００は複数のヘッドホンを接続できるようにしてもよい。この場合、デジタルカメラ１００は１台目のヘッドホンが接続されたことを検出することでサイレントモードに自動で切り替える。また、すべてのヘッドホンが切断された場合でも、制御部１０１はサイレントモードを継続する。これにより例えば、ユーザは記録媒体１１０に記録している動画をデジタルカメラ１００において再生し、その動画およびその音声を複数人で視聴することができる。
【００５２】
なお、一般的にヘッドホンはＢｌｕｅｔｏｏｔｈに準拠して電子機器と無線接続する。また、Ｂｌｕｅｔｏｏｔｈによる通信であれば、制御部１０１はペアリング済みの機器の種類を記録している。一方、一般的にヘッドホンは無線ＬＡＮ通信できるものはほとんど存在しない。無線ＬＡＮ通信による通信では、デジタルカメラ１００は画像データや動画データ等を送受信する。そこで、デジタルカメラ１００はＢｌｕｅｔｏｏｔｈによる無線接続であれば本処理を実行し、無線ＬＡＮによる無線接続であれば本処理を実行しないようにしてもよい。これにより、デジタルカメラ１００はＢｌｕｅｔｏｏｔｈによって無線接続するヘッドホンへ音を出力しながら、無線ＬＡＮによって無線接続するスマートフォンへ撮影した画像データを送信できる。
【００５３】
＜第二の実施形態＞
次に、デジタルカメラ１００がヘッドホンとの接続を開始してから接続を確立する間に操作部１０５を介してユーザ操作を受け付ける場合の処理について説明する。特に外部機器を無線接続する場合、制御部１０１は無線接続を開始してから完了するまで時間がかかる場合がある。この場合、外部機器との接続を確立するまで接続中の外部機器の種類が不明である。そのため、デジタルカメラ１００がヘッドホンとの接続を確立する前にユーザにデジタルカメラ１００を操作される可能性がある。その際、外部機器がスピーカの場合、ユーザはデジタルカメラ１００をサイレントモードで動作させているつもりで操作したにもかかわらず、デジタルカメラ１００のスピーカ１０８から電子音が出力されるおそれがある。そこで本実施形態では、デジタルカメラ１００とヘッドホンとの接続を開始してから完了するまでの間、制御部１０１はデジタルカメラ１００のスピーカ１０８から電子音を出力しないよう制御する。なお、本実施形態で用いるデジタルカメラ１００は第一の実施形態と同様である。
【００５４】
図５を用いてデジタルカメラ１００がヘッドホンとの接続を開始してから完了するまでの間、制御部１０１がデジタルカメラ１００のスピーカ１０８から電子音を出力しないよう制御する方法の一例を説明する。以降、本実施形態ではデジタルカメラ１００に接続する外部のスピーカはヘッドホンとして説明する。このデジタルカメラ１００の処理は、不揮発性メモリ１０３に記録されたソフトウェアを作業用メモリ１０４に展開して制御部１０１が実行することで実現する。またこの処理は、デジタルカメラ１００に外部機器の接続が開始されたことをトリガに開始される。
【００５５】
ステップＳ５０１において、制御部１０１はデジタルカメラ１００がサイレントモードで動作しているか否かを判断する。デジタルカメラ１００がサイレントモードで動作していない場合、制御部１０１はステップＳ５０２に進む。デジタルカメラ１００がサイレントモードで動作している場合、制御部１０１はステップＳ５０３に進む。
【００５６】
ステップＳ５０２において、制御部１０１はデジタルカメラ１００をサイレントモードで動作するよう制御する。また、制御部１０１はデジタルカメラ１００をサイレントモードで動作させる前に、シャッターモードの設定を記録する。この記録したシャッターモードは、ステップＳ５０７において制御部１０１がサイレントモードを解除する処理に用いる。
【００５７】
ステップＳ５０３において、制御部１０１は操作部１０５を介してなされたユーザ操作に対応する処理を実行する。例えばレリーズスイッチが押下された場合、制御部１０１は撮影処理を実行する。例えば、記録媒体１１０に記録されている動画データの再生を操作部１０５を介して指示された場合、制御部１０１は表示部１０６に動画データを再生する。ここで制御部１０１はデジタルカメラ１００をサイレントモードで動作させ、スピーカ１０８から音を出力しないよう制御する。
【００５８】
ステップＳ５０４において、制御部１０１は外部機器との接続が完了したか否かを判断する。外部機器との接続が完了していない場合、制御部１０１はステップＳ５０５に進む。外部機器との接続が完了した場合、制御部１０１はステップＳ５０６に進む。
【００５９】
ステップＳ５０５において、制御部１０１は外部機器との接続を開始してから所定時間が経過したか否かを判断する。例えば、所定時間を１分とした場合、外部機器との接続を開始してから１分経過したか否かを制御部１０１は判断する。外部機器との接続を開始してから所定時間が経過していない場合、制御部１０１はステップＳ５０３に戻りユーザ操作に対応する処理を実行する。外部機器との接続を開始してから所定時間が経過した場合、制御部１０１は外部機器との接続が失敗したと判断し、ステップＳ５０７に進む。
【００６０】
ステップＳ５０６において、制御部１０１は接続が成功した外部機器がヘッドホンか否かを判断する。接続が成功した外部機器がヘッドホンである場合、制御部１０１は本処理を終了し、以降もデジタルカメラ１００をサイレントモードで動作するよう制御する。接続が成功した外部機器がヘッドホンではない場合、制御部１０１はステップＳ５０７に進む。
【００６１】
ステップＳ５０７において、制御部１０１はデジタルカメラ１００のサイレントモードを解除し、ステップＳ５０２において記録したシャッターモードで動作するよう制御する。なお、本フローチャートの処理を開始した時点でサイレントモードだった場合、制御部１０１は本ステップの処理を実行しない。例えば、ステップＳ５０１においてデジタルカメラ１００がサイレントモードで動作していると判断した場合、制御部１０１は本ステップの処理を実行しない。
【００６２】
以上、デジタルカメラ１００がヘッドホンとの接続を開始してから完了するまでの間、制御部１０１がデジタルカメラ１００のスピーカ１０８から電子音を出力しないよう制御する方法について説明した。このように、外部機器との接続を開始したことをトリガにデジタルカメラ１００をサイレントモードで動作させ、外部機器との接続の結果に応じてサイレントモードを継続するか否かを変更する。これにより、ユーザの意図しないスピーカ１０８からの電子音の出力を防止することができる。特にデジタルカメラ１００がヘッドホンの接続を確立する前に突然シャッターチャンスが訪れても、ユーザはサイレントモードでの撮影が可能であるため、本実施形態の処理はデジタルカメラのような撮像装置には特に有効である。
【００６３】
＜第三の実施形態＞
本実施形態は第一の実施形態の変形例である。ユーザがデジタルカメラ１００にヘッドホンを接続していても、ユーザはヘッドホンを装着していない場合がある。その場合、ヘッドホンに電子音を出力してもユーザはヘッドホンから電子音を聞くことができないため、デジタルカメラ１００はヘッドホンへ電子音を出力する必要がない。また、ユーザはヘッドホンを接続していても、デジタルカメラ１００のスピーカ１０８から電子音を出力したい場合も考えられる。そのため本実施形態のデジタルカメラ１００は、そのような状況に対応する。なお、本実施形態で用いるデジタルカメラ１００は第一の実施形態と同様である。
【００６４】
図６を用いて、制御部１０１がデジタルカメラ１００をサイレントモードで動作させるか否かを変更する処理について説明する。以降、本実施形態ではデジタルカメラ１００に接続する外部のスピーカはヘッドホンとして説明する。このヘッドホンはセンサを有し、ユーザに装着されているか否かを検出できる。このデジタルカメラ１００の処理は、不揮発性メモリ１０３に記録されたソフトウェアを作業用メモリ１０４に展開して制御部１０１が実行することで実現する。またこの処理は、デジタルカメラ１００の電源がオンにされたことをトリガに開始される。
【００６５】
ステップＳ６０１において、制御部１０１はヘッドホンが新たに接続されたか否かを判断する。例えば、制御部１０１は接続部１１２の検出部や通信部１１１を介してヘッドホンとの接続が完了したか否かを判断する。ここでは、制御部１０１はヘッドホンが１台も接続されていない状態から新たに接続されたか否かを判断する。すでにヘッドホンが接続されている場合は、新たにヘッドホンが接続されても制御部１０１はＮｏと判断する。ただし、デジタルカメラ１００の電源がオフの状態でヘッドホンが接続されていた場合、デジタルカメラ１００の電源がオンにされてから１回目の本処理では、制御部１０１は新たにヘッドホンが接続されたと判断する。ヘッドホンが新たに接続された場合、制御部１０１はステップＳ６０２に進む。ヘッドホンが新たに接続されていない場合、制御部１０１はステップＳ６０４に進む。まず、ヘッドホンがデジタルカメラ１００に新たに接続されてた場合について説明する。
【００６６】
ステップＳ６０２において、制御部１０１は接続されているヘッドホンへ電子音を出力するよう制御する。これは制御部１０１が常にヘッドホンへ電子音を出力するという意味ではなく、制御部１０１が操作音や電子シャッター音等の電子音を再生する場合にヘッドホンへ電子音を出力するという意味である。
【００６７】
ステップＳ６０３において、制御部１０１はデジタルカメラ１００が自動的にサイレントモードで動作するよう制御する。また、制御部１０１はデジタルカメラ１００をサイレントモードで動作させる前に、シャッターモードの設定を記録してもよい。この記録したシャッターモードは、ステップＳ６１０において制御部１０１がサイレントモードを解除する処理に用いる。なお、すでにサイレントモードの場合、制御部１０１は本ステップの処理を実行しない。制御部１０１はステップＳ６１１に進み、電源オフの操作がなされるまで本フローチャートの処理を繰り返す。本ステップは図４のステップＳ４０３と同様である。このように、ヘッドホンが新たに接続された場合、制御部１０１はデジタルカメラ１００がサイレントモードで動作するよう制御する。次にステップＳ６０１において、デジタルカメラ１００にヘッドホンが新たに接続されていないと制御部１０１が判断した場合について説明する。
【００６８】
ステップＳ６０４において、制御部１０１はデジタルカメラ１００がヘッドホンと接続を確立しているか否かを判断する。例えば、制御部１０１は接続部１１２の検出部や通信部１１１を介してデジタルカメラ１００がヘッドホンと接続を確立しているか否かを検出する。デジタルカメラ１００がヘッドホンと接続を確立していると判断した場合、制御部１０１はステップＳ６０５に進む。デジタルカメラ１００とヘッドホンとの接続が切断していると判断した場合、制御部１０１はステップＳ６０６に進み、ヘッドホンへ電子音を出力しないよう制御する。
【００６９】
ステップＳ６０５において、制御部１０１はヘッドホンからユーザがヘッドホンを装着しているか否かを示す情報を受信し、ユーザがヘッドホンを装着しているか否かを判断する。ユーザがヘッドホンを装着している場合、制御部１０１はステップＳ６０７に進み、サイレントモードの設定に関する処理を実行する。ユーザがヘッドホンを装着していない場合、制御部１０１はステップＳ６０６に進み、ヘッドホンへの電子音の出力を停止する。
【００７０】
ステップＳ６０６からステップＳ６１１はそれぞれ図４のステップＳ４０４からステップＳ４０９と同様であるため、説明を省略する。
【００７１】
以上、図６を用いて制御部１０１がデジタルカメラ１００をサイレントモードで動作させるか否かを設定する処理について説明した。このように制御部１０１は本フローチャートの処理を実行することで、ユーザはヘッドホンを接続していてもデジタルカメラ１００のスピーカ１０８から電子音を出力させることができる。またユーザがヘッドホンを装着していない場合、制御部１０１はヘッドホンへの電子音の出力を停止することで、デジタルカメラ１００およびヘッドホンの電力消費を低減できる。
【００７２】
＜第四の実施形態＞
本実施形態では、デジタルカメラ１００がヘッドホン等の外部スピーカと無線接続していたか有線接続していたかに応じて、制御部１０１はヘッドホンとの接続を切断した際の処理を変更する。なお、本実施形態で用いるデジタルカメラ１００は第一の実施形態と同様である。
【００７３】
図７を用いて、ヘッドホンとデジタルカメラ１００との接続方式によって、ヘッドホンがデジタルカメラ１００から切断した場合における制御部１０１の処理について説明する。無線通信は周囲の状況によって通信が途切れてしまうおそれがある。一方有線通信は無線通信と比べて、周囲の状況によって通信が途切れる可能性は低く、またユーザが意図的に接続および切断の操作をする可能性が高い。そのため、本実施形態ではヘッドホンとデジタルカメラ１００との接続方式に応じて、ヘッドホンがデジタルカメラ１００から切断した後、制御部１０１がデジタルカメラ１００の動作モードを変更する。以降、本実施形態ではデジタルカメラ１００に接続する外部のスピーカはヘッドホンとして説明する。このヘッドホンはセンサを有し、ユーザに装着されているか否かを検出できる。このデジタルカメラ１００の処理は、不揮発性メモリ１０３に記録されたソフトウェアを作業用メモリ１０４に展開して制御部１０１が実行することで実現する。またこの処理は、デジタルカメラ１００とヘッドホンとの接続が切断されたことをトリガに開始される。
【００７４】
ステップＳ７０１において、制御部１０１はデジタルカメラ１００とヘッドホンとの接続が有線接続であったか無線接続であったかを判断する。デジタルカメラ１００とヘッドホンとが無線接続だった場合、制御部１０１はステップＳ７０２に進む。デジタルカメラ１００とヘッドホンとが無線接続だった場合、制御部１０１はステップＳ７０４に進み、デジタルカメラ１００のサイレントモードを解除する。
【００７５】
ステップＳ７０２において、制御部１０１はデジタルカメラ１００とヘッドホンとが正常の手順で切断されたか否かを判断する。正常の手順であれば、デジタルカメラ１００およびヘッドホンの少なくとも一方が無線接続を切断することを示すパケットを送信する。そのパケットを送受信することにより制御部１０１は正常の手順で無線接続が切断されたと判断できる。一方、ヘッドホンの電池切れ等の理由により突然通信が不可能になった場合、例えば制御部１０１はタイムアウトを検出する。それによって制御部１０１は正常の手順で無線接続が切断されていないと判断する。正常の手順で切断されていない場合、制御部１０１はステップＳ７０３に進み継続してデジタルカメラ１００をサイレントモードで動作させる。正常の手順で切断された場合、制御部１０１はステップＳ７０４に進み、デジタルカメラ１００のサイレントモードを解除する。
【００７６】
このようにデジタルカメラ１００とヘッドホンとの接続方式によって、デジタルカメラ１００とヘッドホンとの接続が切断した場合における制御部１０１の処理を変える。さらに無線接続の場合、制御部１０１は正常の手順に則って接続が切断されたか否かによってサイレントモードをオンまたはオフする。これにより、ユーザの意図しないタイミングでデジタルカメラ１００のスピーカ１０８から電子音が出力される可能性を低減できる。
【００７７】
なお、デジタルカメラ１００は複数のヘッドホンを接続できるようにしてもよい。この場合、有線ヘッドホンおよび無線ヘッドホンが同時にデジタルカメラ１００に接続する可能性がある。そこで、本実施形態の処理を開始するためのトリガにデジタルカメラ１００と接続しているヘッドホンが１台の場合に実行するという条件を設ける。このように条件を設けることで、有線接続または無線接続を問わずヘッドホンがデジタルカメラ１００に接続されている場合はデジタルカメラ１００はサイレントモードで動作する。また最後に接続しているヘッドホンが切断された場合に、本実施形態において説明した処理を制御部１０１は開始する。
【００７８】
＜その他の実施形態＞
第一の実施形態から第四の実施形態まで、デジタルカメラ１００に外部スピーカとして特にヘッドホンを例に説明したが、外部スピーカはこれに限られない。例えば外部スピーカはスマートフォンやＰＣ等、スピーカと接続できる情報処理装置でもよい。
【００７９】
また、例えばデジタルカメラ１００の接続した相手がスマートフォンだった場合、デジタルカメラ１００はスマートフォンのモードによってサイレントモードで動作するか否かを設定してよい。この場合、制御部１０１は通信部１１１または接続部１１２を介してスマートフォンから現在のモードに関する情報を受信する。スマートフォンがマナーモード、サイレントモード、または機内モードだった場合、デジタルカメラ１００はサイレントモードで動作する。スマートフォンがスマートフォンのスピーカから電子音を出力できるモードだった場合、デジタルカメラ１００はモードを変更しない。
【００８０】
また、制御部１０１は接続した相手が音声を出力する機能を有さない場合、デジタルカメラ１００をサイレントモードで動作させるための処理は実行しない。例えば、デジタルカメラ１００にリモコンやストロボ等が接続された場合、デジタルカメラ１００は自動的にはサイレントモードに移行しない。また例えば、スマートフォンにキーボードやマウス、充電器等が接続された場合、スマートフォンは自動的にはサイレントモードに移行しない。
【００８１】
また、制御部１０１はデジタルカメラ１００を自動的にサイレントモードで動作させた場合、その旨をユーザに報知してもよい。例えば図８に示すように、制御部１０１は「ヘッドホンが接続されました。サイレントモードに変更します。」と、ヘッドホンが接続された旨およびサイレントモードに自動的に変更した旨を表示部１０６にポップアップ表示する。ここで、制御部１０１はデジタルカメラ１００を自動的にサイレントモードで動作させるが、ユーザがキャンセル操作をできるようにしてもよい。この場合、制御部１０１はユーザ操作を操作部１０５を介して受け付ける。「ＯＫ」が選択された場合、デジタルカメラ１００をサイレントモードで動作させる。また、「Ｃａｎｃｅｌ」が選択された場合、制御部１０１はサイレントモードで動作させる前の設定に戻す。ただし、「Ｃａｎｃｅｌ」を選択された場合でも制御部１０１はヘッドホンに音を出力する。制御部１０１がこのような報知処理を実行することで、ユーザは周囲の状況に応じてデジタルカメラ１００のモードを変更することが可能になる。
【００８２】
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【００８３】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図１】
2020136865.tif 000003
【図２】
2020136865.tif 000004
【図３】
2020136865.tif 000005
【図４】
2020136865.tif 000006
【図５】
2020136865.tif 000007
【図６】
2020136865.tif 000008
【図７】
2020136865.tif 000009
【図８】
2020136865.tif 000010